(57)【要約】【課題】体積エネルギー密度に優れた、巻回電極体を備えた電池を生産性高く提供する。【解決手段】最外周に３枚以上のセパレータが重なり合わされたセパレータ重なり領域を有する巻回電極体を備えた電池において、セパレータ重なり領域の最外周に巻き回されたセパレータを第１のセパレータ、第１のセパレータよりも１周内側のセパレータを第２のセパレータ、第２のセパレータよりも１周内側のセパレータを第３のセパレータとするとき、第２のセパレータには穴が設けられ、前記穴を覆うように、粘着テープないし糊剤が配されることにより、第３のセパレータと、穴の周囲の第２のセパレータ及び穴と対向する第１のセパレータと、が固定されていることを特徴とする。【選択図】  図２
2013243070.tif 000002
【特許請求の範囲】
【請求項１】
正極板と、負極板と、前記両電極板間に介在するセパレータと、が巻き取られ、巻解けを防止する粘着テープが貼り付けられた巻回電極体を備えた電池において、
前記粘着テープは、基材の両面に糊剤層が設けられた両面粘着テープであり、
前記巻回電極体の最外周には、３枚以上のセパレータが重なり合わされたセパレータ重なり領域を有し、
前記セパレータ重なり領域の最外周に巻き回されたセパレータを第１のセパレータ、前記第１のセパレータよりも１周内側のセパレータを第２のセパレータ、前記第２のセパレータよりも１周内側のセパレータを第３のセパレータとするとき、
前記第２のセパレータには穴が設けられ、
前記穴を覆うように、前記粘着テープが配されることにより、前記粘着テープの内側糊剤層と、前記第３のセパレータと、が粘着固定され、前記両面粘着テープの外側糊剤層と、前記穴の周囲の前記第２のセパレータ及び前記穴と対向する前記第１のセパレータと、が粘着固定されている、
ことを特徴とする巻回電極体を備えた電池。
【請求項２】
請求項１に記載の巻回電極体を備えた電池において、
前記粘着テープの面積が、前記穴の面積の２倍である、
ことを特徴とする巻回電極体を備えた電池。
【請求項３】
請求項１又は２に記載の巻回電極体を備えた電池において、
前記粘着テープの外側糊剤層は、電解液と接触することにより粘着力が低下する、
ことを特徴とする巻回電極体を備えた電池。
【請求項４】
正極板と、負極板と、前記両電極板間に介在するセパレータと、が巻き取られ、巻解けを防止する糊剤が取り付けられた巻回電極体を備えた電池において、
前記巻回電極体の最外周には、３枚以上のセパレータが重なり合わされたセパレータ重なり領域を有し、
前記セパレータ重なり領域の最外周に巻き回されたセパレータを第１のセパレータ、前記第１のセパレータよりも１周内側のセパレータを第２のセパレータ、前記第２のセパレータよりも１周内側のセパレータを第３のセパレータとするとき、
前記第２のセパレータには穴が設けられ、
前記穴を覆うように、前記糊剤が配されることにより、前記第３のセパレータと、前記穴の周囲の前記第２のセパレータ及び前記穴と対向する前記第１のセパレータと、が粘着固定されている、
ことを特徴とする巻回電極体を備えた電池。
【発明の詳細な説明】
【技術分野】
【０００１】
本発明は、正負電極板及びセパレータを渦巻状に巻き取った巻回電極体を備えた電池に関する。
【背景技術】
【０００２】
携帯電話、ノートパソコン、タブレット型コンピュータ等の移動情報端末、電動工具、ハイブリッド電気自動車（ＨＥＶ、ＰＨＥＶ）や電気自動車（ＥＶ）等の駆動電源として、リチウムイオン二次電池等の非水電解質二次電池が広く利用されている。特に、正負電極板及びセパレータを渦巻状に巻き取った巻回電極体は、正負電極板の対向面積が大きく、これを用いた非水電解質二次電池は大電流を取り出し易いので、上記用途に広く用いられている。
【０００３】
しかしながら、巻回電極体の巻取り状態が緩むと、外装体内に巻回電極体を収容（挿入）し難くなるので、作業時間が増大したり、巻回電極体が傷つく等により歩留まりが悪くなったりするという問題がある。
【０００４】
このため、図４に示すように、巻回電極体１０の最外周に巻かれたセパレータ３を粘着テープ５１で固定して巻解けを防止することが行われている（例えば、特許文献１参照。）。
【先行技術文献】
【特許文献】
【０００５】
【特許文献１】特開平11-121044号公報
【０００６】
特許文献１は、電池電解液に接触後に、膨潤、溶解又は分解して、電池素子の積層が緩む接着剤又は粘着剤で、電極とセパレータとの積層体からなる電池素子を固定する技術である。この技術によると、電池充電時の電池素子の膨張が抑制されず応力が緩和され、素子の構成材料に与えるストレスを低減でき、これらに起因する電池特性の低下を回避できるとされる。
【発明の概要】
【発明が解決しようとする課題】
【０００７】
しかしながら、図４に示すような、巻回電極体１０の最外周に巻かれたセパレータ３を粘着テープ５１で固定する技術では、巻解けを確実に防止するために、粘着テープ５１の貼付面積を大きく確保する必要がある。しかしながら、粘着テープ５１の貼付面積が大きくなると、粘着テープ５１によって巻回電極体１０への電解液の浸透が阻害され、注液工程に時間がかかるようになるとともに、充放電に寄与しない粘着テープの体積増加によって体積エネルギー密度が低下するという問題がある。
【０００８】
本発明は、以上に鑑みなされたものであって、体積エネルギー密度に優れた電池を生産性高く提供することを目的とする。
【課題を解決するための手段】
【０００９】
上記課題を解決するための第１の本発明は、次のように構成されている。
正極板と、負極板と、前記両電極板間に介在するセパレータと、が巻き取られ、巻解けを防止する粘着テープが貼り付けられた巻回電極体を備えた電池において、前記粘着テープは、基材の両面に糊剤層が設けられた両面粘着テープであり、前記巻回電極体の最外周には、３枚以上のセパレータが重なり合わされたセパレータ重なり領域を有し、前記セパレータ重なり領域の最外周に巻き回されたセパレータを第１のセパレータ、前記第１のセパレータよりも１周内側のセパレータを第２のセパレータ、前記第２のセパレータよりも１周内側のセパレータを第３のセパレータとするとき、前記第２のセパレータには穴が設けられ、前記穴を覆うように、前記粘着テープが配されることにより、前記粘着テープの内側糊剤層と、前記第３のセパレータと、が粘着固定され、前記両面粘着テープの外側糊剤層と、前記穴の周囲の前記第２のセパレータ及び前記穴と対向する前記第１のセパレータと、が粘着固定されている、ことを特徴とする。
【００１０】
上述したように、巻回最外周に貼りつける従来の片面粘着テープでは、粘着テープの貼付面積が大きく、電解質と接触後の電極体の巻ゆるみが起こり難い。これに対し、本発明に用いる両面粘着テープは、第２のセパレータと第３のセパレータとの間に配されて第１〜第３のセパレータを固定するものであり、従来の片面粘着テープに比べて小さい貼付面積で巻解けを防止できる。ここで、粘着テープは、電解質の電極体への浸透を阻害してしまうが、本発明によると粘着テープの貼付面積を小さくできるので、注液時間を短くでき、生産性を高めることができる。
【００１１】
また、粘着テープ自体は充放電反応に寄与しないので、粘着テープの貼付面積を小さくすることにより、電池のスペース効率が向上して、電池の小型化や高エネルギー密度化を図れる。
【００１２】
また、粘着テープの貼付面積を小さくすることにより、電解質と接触後において巻回電極体の巻ゆるみが起こり易くなる。巻回電極体の巻ゆるみが起こると、充放電に伴う正負電極活物質の体積膨縮によるストレスが緩和されるので、スムースな充電反応が進行しやすくなり、サイクル特性が高まる。
【００１３】
なお、片面粘着テープ（基材の一方面にのみ糊剤層を設けたもの）を用いて、糊剤層と、穴の周囲の第２のセパレータ及び穴と対向する第１のセパレータと、を粘着固定する方法や、穴を設けずに第３のセパレータ及び第２のセパレータを粘着固定する方法では、巻解けは防止できない。
【００１４】
また、「巻回電極体の最外周には、３枚以上のセパレータが重なり合わされたセパレータ重なり領域を有し」とは、巻回電極体の最外周から部材の重なり合い状態を見た場合に、最外周に巻かれた部材、最外周より１枚内側に巻かれた部材、最外周より２枚内側に巻かれた部材、のいずれもがセパレータである領域が存在していることを意味し、全周にわたって３枚以上のセパレータが重なっている領域が存在する必要はなく、３枚以上のセパレータを用いる必要もない。例えば、第１のセパレータと第３のセパレータとが同一のセパレータである（２枚のセパレータを用いる）構成であってもよく、第１〜第３のセパレータが同一のセパレータ（１枚のセパレータを用いる）構成であってもよく、これら以外であってもよい。
【００１５】
また、上記構成において、前記粘着テープの面積が、前記穴の面積の２倍である、構成とすることができる。
【００１６】
粘着テープの面積が、穴の面積の２倍、すなわち外側糊剤層と第１のセパレータの接触面積とが、外側糊剤層と第２のセパレータの接触面積と等しい構成であると、外側糊剤層と第１のセパレータとの間、外側糊剤層と第２のセパレータとの間、のそれぞれに作用する粘着力が等しくなるので好ましい。
【００１７】
また、上記構成において、前記粘着テープの外側糊剤層は、電解液と接触することにより粘着力が低下する構成とすることができる。
【００１８】
この構成であると、電解質と接触後において巻回電極体の巻ゆるみがさらに起こり易くなり、サイクル特性がさらに高まる。なお、内側糊剤層は、電解液と接触することにより粘着力が低下する構成であってもよいが、電解液接触後における内側糊剤層の粘着力は、粘着が剥がれない程度に確保されていることが好ましい。
【００１９】
上記課題を解決するための第２の本発明は、次のように構成されている。
正極板と、負極板と、前記両電極板間に介在するセパレータと、が巻き取られ、巻解けを防止する糊剤が取り付けられた巻回電極体を備えた電池において、前記巻回電極体の最外周には、３枚以上のセパレータが重なり合わされたセパレータ重なり領域を有し、前記セパレータ重なり領域の最外周に巻き回されたセパレータを第１のセパレータ、前記第１のセパレータよりも１周内側のセパレータを第２のセパレータ、前記第２のセパレータよりも１周内側のセパレータを第３のセパレータとするとき、前記第２のセパレータには穴が設けられ、前記穴を覆うように、前記糊剤が配されることにより、前記第３のセパレータと前記穴の周囲の前記第２のセパレータ及び前記穴と対向する前記第１のセパレータと、が粘着固定されていることを特徴とする。
【００２０】
上記第２の本発明は、基材を有する粘着テープに代えて、基材を有さない糊剤を用いていること以外は、上記第１の本発明と同様である。この構成によっても、上記第１の本発明と同様の効果が得られる。
【００２１】
なお、第２の本発明においても、糊剤の取り付け面積が、穴の面積の２倍である構成とすることができ、糊剤は、電解液と接触することにより粘着力が低下する構成とすることができるが、巻回内外における粘着力を変化させる構成は採用できない。
【発明の効果】
【００２２】
上記本発明によると、体積エネルギー密度に優れた非水電解質電池を生産性高く提供できる。
【図面の簡単な説明】
【００２３】
【図１】図１は、本発明に係る円筒型非水電解質電池の断面斜視図である。
【図２】図２は、本発明に用いる巻回電極体を模式的に示す図であって、図２（ａ）は断面図、図２（ｂ）は、セパレータ重なり領域を示す部分拡大断面図である。
【図３】図３は、セパレータ重なり領域の積層状態を模式的に示す解体斜視図である。
【図４】図４は、従来の巻回電極体を示す斜視図である。
【発明を実施するための形態】
【００２４】
本発明を実施するための最良の形態を、円筒形外装缶を用いた非水電解質二次電池に本発明を適用した例を用いて、図面を参照しつつ詳細に説明する。なお、本発明は下記の形態に限定されるものではなく、その要旨を変更しない範囲において適宜変更して実施することが可能である。
【００２５】
（実施の形態）
図１は、本実施の形態に係る円筒型非水電解質二次電池の断面斜視図であり、図２は、本発明に用いる巻回電極体を模式的に示す図であって、図２（ａ）は断面図、図２（ｂ）は、セパレータ重なり領域を示す部分拡大断面図であり、図３は、セパレータ重なり領域の積層状態を模式的に示す解体斜視図である。
【００２６】
本実施の形態に係る非水電解質二次電池は、図１に示すように、正極板１と負極板２とがセパレータ３を介して渦巻き状に巻回した巻回電極体１０を備えている。巻回電極体１０は、上下にそれぞれ絶縁板５が配置され、有底円筒形の金属製外装缶６の内部に収容されている。負極板２の集電タブ２ａは外装缶６の内側底部に溶接され、正極板１の集電タブ１ａは、封口体８の下面に溶接されている。これにより、外装缶６が負極外部端子、封口体８が正極外部端子としてそれぞれ機能する。そして、外装缶６の内部には非水電解液（図示せず）が注液されており、外装缶６の開口部はガスケット９を介して封口体８で密閉されている。また、封口体８には、電池内圧が上昇したときに作動する安全機構７が設けられている。
【００２７】
また、図２（ａ）に示すように、巻回電極体１０の最外周には、セパレータが３枚重なり合ったセパレータ重なり領域４０を有している。本発明では、セパレータ重なり領域４０におけるセパレータを、最外周側から順に第１〜第３のセパレータ３ａ〜３ｃと称する。このとき、図２（ｂ）、図３に示すように、第２のセパレータ３ｂには、穴３１が設けられ、穴３１を覆うように、基材２１ａの両面に糊剤層２１ｂ・２１ｃが設けられた粘着テープ２１が配されることにより、粘着テープ２１の内側糊剤層２１ｂと、第３のセパレータ３ｃと、が粘着固定され、粘着テープ２１の外側糊剤層２１ｃと、穴３１の周囲の第２のセパレータ３ｂ及び穴３１を介した第１のセパレータ３ａと、が粘着固定されている。
【００２８】
ここで、巻解けをより防止するためには、第１のセパレータ３ａの巻回末端と穴３１との距離Ｌ１が小さいことが好ましく、例えば円筒形電池に適用する場合、直径の５０％以下とすることが好ましい。
【００２９】
本実施の形態では、図３に示すように、穴３１の平面形状は楕円であり、粘着テープ２１の平面形状は長方形である構成を採用している。しかしながら、この形状に限定されるものではない。しかしながら、テープの張り付けや加工の容易さの観点から、テープの平面形状は長方形であることが好ましく、粘着性の観点から、穴３１の平面形状はオーバル（楕円、トラック、角丸長方形）であることが好ましい。この時、テープの長さ（電池高さ方向長さ）Ｌ３は、電池の高さの７０〜９０％であることが好ましく、テープの幅Ｌ２は、４〜６ｍｍであることが好ましい。
【００３０】
また、外側糊剤層２１ｃと第２のセパレータ３ｂと間の粘着力と、外側糊剤層２１ｃと第１のセパレータ３ａと間の粘着力とが同等であることが好ましく、このため、穴の面積と粘着テープの面積との比（穴の面積／粘着テープの面積）は、０．４〜０．６であることが好ましく、０．５であることが最も好ましい。
【００３１】
（実施例）
以下、実施例を用いて本発明をさらに詳細に説明する。
【００３２】
（実施例１）
〈正極の作製〉
コバルト酸リチウム（ＬｉＣｏＯ２）からなる正極活物質９４質量部と、導電剤としてのアセチレンブラック３質量部と、結着剤としてのポリフッ化ビニリデン（ＰＶｄＦ）３質量部と、Ｎ−メチルピロリドンとを混合して正極活物質スラリーとした。この正極活物質スラリーを、ドクターブレード法によりアルミニウム製の正極集電体（厚み１５μｍ）の両面に塗布し、乾燥した。この後、ローラープレス機により圧延し、所定のサイズに切断し、アルミニウム製の正極タブ１ａを超音波溶着して正極板１を作製した。
【００３３】
〈負極の作製〉
負極活物質としての天然黒鉛９８質量部と、増粘剤としてのカルボキシメチルセルロース１質量部と、結着剤としてのスチレンブタジエンゴム１質量部と、水とを混合して負極活物質スラリーとした。この負極活物質スラリーを銅製の負極集電体（厚み１２μｍ）の両面に塗布し、乾燥した。この後、ローラープレス機により圧延し、所定のサイズに切断し、厚み０．１５ｍｍのＮｉ−Ｃｕクラッド材からなる２つの負極タブ２ａを超音波溶着して負極板２を作製した。なお、２つの負極タブは、Ｃｕ層が負極集電体と当接するように、巻き始め及び巻き終わりとなる位置に取り付けた。
【００３４】
〈粘着テープの作製〉
厚み１９．２μｍのポリプロピレン基材２１ａの一方面に、ゴム系粘着剤を塗布して厚み１２．３μｍの内側糊剤層２１ｂを形成し、ポリプロピレン基材２１ａの他方面に、アクリル系粘着剤を塗布して厚み１２．３μｍの外側糊剤層２１ｃを形成して、粘着テープ２１を完成させた。なお、ＪＩＳ  Ｚ０２３７に準拠して測定したはく離力は、内側糊剤層では０．５０（Ｎ／１０ｍｍ）以上、外側糊剤層では０．０８（Ｎ／２０ｍｍ）以上であった。
【００３５】
〈巻取り工程〉
巻芯を用いて、上記正極板１及び負極板２を、ポリエチレン製微多孔膜からなるセパレータ３を介して巻回することにより、巻取体を作製する。この時、最外周には、セパレータ３が３枚重なったセパレータ重なり領域４０を設ける。
この後、セパレータ重なり領域４０の第２のセパレータ３ｂに１００ｍｍ２の楕円形の穴３１をあけ、穴３１に対向する第３のセパレータ３ｃに、上記粘着テープ２１（幅４ｍｍ×長さ５０ｍｍ）を、内側糊剤層２１ｂが接するように張り付けるとともに、粘着テープ２１の外側糊剤層２１ｃと、穴３１の周囲の第２のセパレータ３ｂ及び穴３１と対向する第１のセパレータ３ａをと粘着させて、巻回電極体１０を完成させた。
【００３６】
〈非水電解質の調整〉
非水溶媒としてのエチレンカーボネート（ＥＣ）とジメチルカーボネート（ＤＭＣ）とを体積比３０：７０（２５℃）で混合し、電解質塩としてのＬｉＰＦ６を１Ｍ（モル／リットル）となるように溶解して、非水電解質となした。
【００３７】
〈電池の組み立て〉
円筒形外装缶６に下部絶縁板５と上記巻回電極体１０を挿入し、負極タブ２ａを円筒形外装缶６の缶底に溶接した。
この後、上部絶縁板５を収容し、外装缶６の上部に溝入れ加工した後に、ガスケット９を配置し、正極タブ１ａを封口体８と溶接した。上記非水電解質を外装缶６に注液し、外装缶６の開口部をガスケット９を介して封口体８により封口することにより、直径１８ｍｍ、高さ６５ｍｍの非水電解質二次電池を作製した。
【００３８】
（実施例２）
第２のセパレータ３ｂにあける穴の面積を７５ｍｍ２、粘着テープ２１の面積を１５０ｍｍ２（３ｍｍ×５０ｍｍ）としたこと以外は、上記実施例１と同様にして、実施例２に係る非水電解質二次電池を作製した。
【００３９】
（実施例３）
第２のセパレータ３ｂにあける穴の面積を１２５ｍｍ２、粘着テープ２１の面積を２５０ｍｍ２（５ｍｍ×５０ｍｍ）としたこと以外は、上記実施例１と同様にして、実施例３に係る非水電解質二次電池を作製した。
【００４０】
（実施例４）
第２のセパレータ３ｂにあける穴の面積を１５０ｍｍ２、粘着テープ２１の面積を３００ｍｍ２（６ｍｍ×５０ｍｍ）としたこと以外は、上記実施例１と同様にして、実施例４に係る非水電解質二次電池を作製した。
【００４１】
（実施例５）
第２のセパレータ３ｂにあける穴の面積を１７５ｍｍ２、粘着テープ２１の面積を３５０ｍｍ２（７ｍｍ×５０ｍｍ）としたこと以外は、上記実施例１と同様にして、実施例５に係る非水電解質二次電池を作製した。
【００４２】
（比較例１）
図４に示すように、巻取体の巻き終わりに、面積が１７５０ｍｍ２（３５ｍｍ×５０ｍｍ）の片面粘着テープ５１を張り付けて巻回電極体１０を作製したこと以外は、上記実施例１と同様にして、比較例１に係る非水電解質二次電池を作製した。
【００４３】
〔挿入性試験〕
上記実施例１〜５、比較例１と同様にして巻回電極体１０をそれぞれ１０００個作製した。巻回電極体１０の状態を目視にて確認し、外装缶に挿入する際にはがれが生じるおそれがあるものを不良、はがれが生じるおそれがないものを良と判定した。不良率を下記表１に示す。なお、この試験はすべて１気圧、２５℃条件で行った。
【００４４】
〔サイクル試験〕
上記実施例１〜５、比較例１と同様にして電池をそれぞれ３個作製した。これらの電池に対して、以下に示す条件での充放電を、放電容量が初期（１サイクル目）容量の６０％未満となるまで行った。この試験結果（平均値）を下記表１に示す。なお、この試験はすべて１気圧、２５℃条件で行った。
充電  １Ｉｔ（１９５０ｍＡ）で電圧が４．２Ｖとなるまで充電し、その後定電圧４．２Ｖで電流が０．０２Ｉｔ（３９ｍＡ）となるまで充電
放電  １０Ａで電圧が２．５Ｖとなるまで放電
【００４５】
〔非水電解質注液性試験〕
上記実施例１〜５、比較例１と同様にして電池をそれぞれ１００個作製した。このとき、非水電解質を７回に分けて、減圧を行いつつ外装缶内部に注液し、非水電解質が電極体に完全に浸透するまでの時間を目視で確認した。この試験結果（平均値）を下記表１に示す。なお、この試験はすべて２５℃条件で行った。
【００４６】
【表１】
2013243070.tif 000003
【００４７】
上記表１から、従来の巻解け粘着テープを用いた比較例１では、非水電解質の浸透時間が１２３分と、本発明の両面粘着テープを用いた実施例１〜５の６３〜８３分よりも顕著に時間がかかっていることが分かる。また、比較例１では、初期容量の６０％未満となるサイクル数が８７７回と、実施例１〜５の８９７〜１２２５回よりも少ないことが分かる。特に、粘着テープの面積が１５０〜３００ｍｍ２である実施例１〜４では、１２１５〜１２２５回と、粘着テープの面積が３５０ｍｍ２である実施例５の８９７回よりも顕著に高いことが分かる。
【００４８】
このことは、次のように考えられる。実施例に係る両面粘着テープを用いる場合、従来の片面粘着テープに比べて小さい貼付面積（実施例では１５０〜３５０ｍｍ２、比較例では１７５０ｍｍ２）で、巻解けを防止できる。粘着テープは、電解質の電極体への浸透を阻害してしまうが、実施例では粘着テープの貼付面積が小さいので、注液時間が短くなる。
【００４９】
また、比較例１のような従来の片面粘着テープでは、粘着テープの貼付面積が大きいため、電解質と接触後の巻回電極体の巻ゆるみが起こり難いが、実施例のような両面粘着テープでは、粘着テープの貼付面積が小さくなるため、電解質と接触後の電極体の巻ゆるみが起こり易い。特に、実施例の外側糊剤層は、感圧式粘着剤である、アクリル系粘着剤を用いており、非水電解質との接触により粘着力が低下して巻ゆるみが起こり易い。巻ゆるみが起こると、充放電に伴う正負電極活物質の体積膨縮によるストレスが緩和されるので、スムースな充電反応が進行しやすくなり、サイクル特性が高まる。なお、実施例電池においても、粘着テープの面積が大きい場合には巻ゆるみが起こり難くなり、サイクル特性が十分でなくなるおそれがあるので、本実施例サイズの電池の場合、粘着テープの面積は３００ｍｍ２以下とすることが好ましい。
【００５０】
上記表１から、粘着テープの面積が１５０ｍｍ２である実施例２では、挿入性不良のものがあったのに対し、粘着テープの面積が２００〜３５０ｍｍ２である実施例１、３〜５、及び粘着テープの面積が１７５０ｍｍ２である比較例１では、挿入性不良のものがなかったことが分かる。
【００５１】
このことは、粘着テープの面積が小さいと、一部において巻ゆるみを十分に抑制できず、不良が生じたためと考えられる。
【００５２】
（追加事項）
なお、上記実施の形態では非水電解質二次電池に適用した例を用いて説明したが、本発明は非水電解質一次電池、ニッケル−水素蓄電池、ニッケル−カドミウム蓄電池等に適用することも可能である。
【００５３】
また、本発明に用いる巻回電極体は、円筒形状であってもよく、扁平状であってもよい。また、巻回電極体を収容する外装体としては、円筒形外装缶、角形外装缶、ラミネート外装体等を用いることができる。
【００５４】
また、粘着テープの基材としては、ポリエチレンやポリプロピレン等のオレフィン樹脂を使用することができる。
【００５５】
また、粘着テープの糊剤としては、イソプレンゴム、スチレン−ブタジエンゴム、ブチルゴム、ニトリルゴム等のゴム系樹脂を使用することができ、アクリル樹脂等の感圧性粘着剤を用いることもできる。中でも、外側糊剤層には感圧性粘着剤、内側糊剤層にはゴム系樹脂を用いることが好ましい。
【００５６】
また、粘着テープの糊剤材料を、基材を用いない本発明の糊剤として使用することができる。
【００５７】
また、本発明を非水電解質二次電池に適用する場合、セパレータとしては、ポリエチレン、ポリプロピレンやこれらの混合ないし積層材料等のオレフィン樹脂を用いることができる。
【００５８】
また、本発明を非水電解質二次電池に適用する場合、非水溶媒としては、ジエチルカーボネート、ジメチルカーボネート、エチルメチルカーボネート、プロピレンカーボネート、γ−ブチロラクトン、ジメチルカーボネート、テトラヒドロフラン、１，２−ジメトキシエタン、１，３−ジオキソラン、２−メトキシテトラヒドロフラン、ジエチルエーテル等を用いることができる。
【００５９】
また、本発明を非水電解質二次電池に適用する場合、電解質塩としては、上記ＬｉＰＦ６以外に、ＬｉＮ（Ｃ２Ｆ５ＳＯ２）２、ＬｉＮ（ＣＦ３ＳＯ２）２、ＬｉＣｌＯ４、ＬｉＢＦ４等の一種または複数種の混合物が使用できる。
【００６０】
また、本発明を非水電解質二次電池に適用する場合、非水電解質には、ビニレンカーボネート、ビニルエチレンカーボネート、シクロヘキシルベンゼン、ｔｅｒｔ−アミルベンゼン等の公知の添加材を添加することができる。
【００６１】
また、本発明を、電池内重合により作製されるポリマー電解質電池に適用することもできる。
【００６２】
また、本発明を非水電解質一次電池に適用する場合、活物質材料としては公知の材料を用いることができ、例えば、正極活物質としては二酸化マンガン、負極活物質としては金属リチウムを用いることができる。
【産業上の利用可能性】
【００６３】
以上に説明したように、本発明によれば、体積エネルギー密度に優れた、巻回電極体を備えた電池を生産性高く提供できる。よって、産業上の利用可能性は大きい。
【符号の説明】
【００６４】
１      正極板
１ａ    正極集電タブ
２      負極板
２ａ    負極集電タブ
３      セパレータ
３ａ    第１のセパレータ
３ｂ    第２のセパレータ
３ｃ    第３のセパレータ
５      絶縁板
６      外装缶
７      安全機構
８      封口体
９      ガスケット
１０    巻回電極体
２１    粘着テープ
２１ａ  基材
２１ｂ  内側糊剤層
２１ｃ  外側糊剤層
３１    穴
４０    セパレータ重なり領域
５１    粘着テープ
【図１】
2013243070.tif 000004
【図２】
2013243070.tif 000005
【図３】
2013243070.tif 000006
【図４】
2013243070.tif 000007